(57)【要約】【課題】建物全体の施工性について総合的に考慮しつつ、特に、建物壁部の施工性を格段に向上させることが可能な建物壁部の施工方法を提供することを目的とする。【解決手段】上枠部材１と下枠部材２と、これら上下枠部材１、２の両端部どうし間に立設される両側縦枠部材３とを組んで四角枠４を形成し、  その後、前記四角枠４内において前記両側縦枠部材３と平行する複数の中間縦枠部材５を、前記上下枠部材１、２間に立設するに際し、  前記上枠部材１の下面および前記下枠部材２の上面に、複数のガイド部材６を前記中間縦枠部材５の端部が嵌まり込む間隔で前記上下枠部材１、２の長さ方向に沿って取り付けておき、  前記中間縦枠部材５を前記両側縦枠部材３と平行する方向に配置するとともに、中間縦枠部材５の端部を前記ガイド部材６、６間に嵌め込む。【選択図】図４
2007023648.tif 000002
【特許請求の範囲】
【請求項１】
上枠部材と下枠部材と、これら上下枠部材の両端部どうし間に立設される両側縦枠部材とを組んで四角枠を形成し、
その後、前記四角枠内において前記両側縦枠部材と平行する複数の中間縦枠部材を、前記上下枠部材間に立設するに際し、
前記上枠部材の下面および前記下枠部材の上面に、複数のガイド部材を前記中間縦枠部材の端部が嵌まり込む間隔で前記上下枠部材の長さ方向に沿って取り付けておき、
前記中間縦枠部材を前記両側縦枠部材と平行する方向に配置するとともに、中間縦枠部材の端部を前記ガイド部材間に嵌め込むことを特徴とする建物壁部の施工方法。
【請求項２】
請求項１に記載の建物壁部の施工方法において、
前記両側縦枠部材の内側面に、前記上枠部材の下面を受けるとともに、前記下枠部材の上面を受ける枠受け部材を予め取り付けておくことを特徴とする建物壁部の施工方法。
【請求項３】
請求項１または２に記載の建物壁部の施工方法において、
前記四角枠内の所定の位置に開口部を形成するに際し、
開口部上に位置するマグサ部材の両端面に、前記中間縦枠部材と平行し、かつ前記ガイド部材間に端部が嵌まり込む開口部用縦枠部材を取り付けるとともに、前記開口部用縦枠部材の対向面に、上端部で前記マグサ部材を受けるマグサ受け部材を取り付けて開口枠を予め形成しておき、
前記開口部用縦枠部材の端部を前記ガイド部材間に嵌め込むようにして前記開口枠を前記四角枠内の所定の位置に設置することを特徴とする建物壁部の施工方法。
【請求項４】
請求項３に記載の建物壁部の施工方法において、
予め前記マグサ部材の上面に、前記上枠部材の下面に取り付けられた複数のガイド部材と対向するようにして複数のガイド部材を取り付けておき、
前記上枠部材とマグサ部材との間に、前記複数のガイド部材間に上下端部が嵌め込まれる上部縦枠部材を立設することを特徴とする建物壁部の施工方法。
【請求項５】
請求項１〜４のいずれか一項に記載の建物壁部の施工方法において、
隣接する前記四角枠どうしの一方の上枠部材上面から他方の上枠部材上面にわたって、前記隣接する四角枠どうしを連結固定する頭つなぎ部材を取り付けることを特徴とする建物壁部の施工方法。
【発明の詳細な説明】
【技術分野】
【０００１】
本発明は、上下枠部材と両側縦枠部材とを組んで形成された四角枠内に複数の中間縦枠部材を立設して建物の壁部を施工する建物壁部の施工方法に関する。
【背景技術】
【０００２】
従来、２×４インチ等の規格化された木材で枠組を作成し、この枠組に対し、構造用合板等の面材を取り付けて建物を構築する枠組壁工法が知られている。また、前記木材を予め工場で採寸、切断および座掘り加工しておくことによって、現場での作業量を減らすことが可能な技術も知られている。
【０００３】
以上のような建物の構築方法によれば、建物や敷地条件に左右されること無く建物を構築することができるという利点がある。
ところが、このような方法で作業を行う場合は、現場に納入される木材等の建築材料の数が非常に多く、その分だけ作業手間が増えるので、工期が長くなってしまうだけでなく、正確な作業手順等を熟知した多くの熟練作業者を確保しなければならないという問題があった。
【０００４】
そこで、このような問題を解決すべく、予め工場で前記木材をパネル化しておき、このようにパネル化したものを現場でクレーンによって建て込むだけで、比較的容易に建物を構築することができるような技術が開発されている（例えば、特許文献１参照）。
【特許文献１】特開２０００−２５７１５２号公報
【発明の開示】
【発明が解決しようとする課題】
【０００５】
ところで、上記特許文献１に記載の技術においては、現場作業者にそれほど高い技能が無くとも品質が安定するということと、工期を短縮することができるという利点がある。
しかし、このように木材をパネル化したものを用いた場合は、パネル化しない場合に比して生産に係るコストが高くなるだけでなく、材料がパネル化して大きくなった分、輸送に係るコストも高くなってしまう場合があった。
【０００６】
そこで、以上のような諸問題を解決し得る技術の開発が強く望まれていた。特に、建物壁部においては、例えば上枠部材や下枠部材、縦枠部材等の建築材料が多く用いられるので、作業の簡略化や工期の短縮等、より施工性を向上させたいという要望が強かった。
【０００７】
本発明の課題は、建物全体の施工性について総合的に考慮しつつ、特に、建物壁部の施工性を格段に向上させることが可能な建物壁部の施工方法を提供することを目的とする。
【課題を解決するための手段】
【０００８】
請求項１に記載の発明は、例えば図１〜図８に示すように、上枠部材１と下枠部材２と、これら上下枠部材１、２の両端部どうし間に立設される両側縦枠部材３とを組んで四角枠４を形成し、
その後、前記四角枠４内において前記両側縦枠部材３と平行する複数の中間縦枠部材５を、前記上下枠部材１、２間に立設するに際し、
前記上枠部材１の下面および前記下枠部材２の上面に、複数のガイド部材６を前記中間縦枠部材５の端部が嵌まり込む間隔で前記上下枠部材１、２の長さ方向に沿って取り付けておき、
前記中間縦枠部材５を前記両側縦枠部材３と平行する方向に配置するとともに、中間縦枠部材５の端部を前記ガイド部材６、６間に嵌め込むことを特徴とする。
【０００９】
請求項１に記載の発明によれば、前記上枠部材１の下面および前記下枠部材２の上面に、前記複数のガイド部材６を前記複数の中間縦枠部材５の端部が嵌まり込む間隔で取り付けておくことによって、前記四角枠４を形成した後に、前記複数の中間縦枠部材５の端部を、前記複数のガイド部材６、６間に嵌め込むだけで、前記中間縦枠部材５を正確な位置に取り付けることができるので、この中間縦枠部材５の取り付け精度を格段に向上させること可能となる。その上、前記複数のガイド部材６を予め前記上枠部材１の下面および下枠部材２の上面に取り付けておくことによって、現場に納入される建築材料の数を減らすこともきるので、その分だけ作業量および作業手間を減らして、建物壁部Ａの作業性を格段に向上させることができるとともに、建物壁部Ａの、延いては建物全体の施工工期を短縮することが可能となる。
しかも、このように前記中間縦枠部材５の位置決めを容易に、かつ正確に行うことができることから、熟練作業者でなくとも作業を行うことができるので、施工品質の安定性も格段に向上する。
一方、従来とは異なり、前記上枠部材１や下枠部材２、各縦枠部材等の建築材料をパネル化せずに施工に用いるので、建物や敷地条件に左右されること無く作業を行うことができるとともに、生産および輸送に係るコストを低減することが可能となる。
したがって、前記上枠部材１の下面および前記下枠部材２の上面に、複数のガイド部材６を前記中間縦枠部材５の端部が嵌まり込む間隔で前記上下枠部材１、２の長さ方向に沿って取り付けておくことによって、建物全体の施工性について総合的に考慮しつつ、特に建物壁部Ａの施工性を格段に向上させることが可能となる。
【００１０】
請求項２に記載の発明は、例えば図１および図５に示すように、請求項１に記載の建物壁部Ａの施工方法において、
前記両側縦枠部材３の内側面に、前記上枠部材１の下面を受けるとともに、前記下枠部材２の上面を受ける枠受け部材３ａを予め取り付けておくことを特徴とする。
【００１１】
請求項２に記載の発明によれば、前記両側縦枠部材３の内側面に前記枠受け部材３ａを取り付けておくことによって、前記上枠部材１の下面と下枠部材２の上面とを前記枠受け部材３ａに合わせるだけで、前記上下枠部材１、２を容易に、かつ正確な位置に取り付けることが可能となる。これによって、前記四角枠４の形成作業を簡略化することができるとともに、施工工期の短縮を図ることが可能となり、延いては建物壁部Ａの施工性を向上させることが可能となる。
【００１２】
請求項３に記載の発明は、例えば図２および図６に示すように、請求項１または２に記載の建物壁部Ａの施工方法において、
前記四角枠４内の所定の位置に開口部Ａ１を形成するに際し、
開口部Ａ１上に位置するマグサ部材７の両端面に、前記中間縦枠部材５と平行し、かつ前記ガイド部材６、６間に端部が嵌まり込む開口部用縦枠部材８を取り付けるとともに、前記開口部用縦枠部材８の対向面に、上端部で前記マグサ部材７を受けるマグサ受け部材９を取り付けて開口枠１０を予め形成しておき、
前記開口部用縦枠部材８の端部を前記ガイド部材６、６間に嵌め込むようにして前記開口枠１０を前記四角枠４内の所定の位置に設置することを特徴とする。
【００１３】
請求項３に記載の発明によれば、予め前記マグサ部材７の両端面に前記開口部用縦枠部材８を取り付けるとともに、これら開口部用縦枠部材８の対向面に前記マグサ受け部材９を取り付けて前記開口枠１０を形成しておくことによって、前記開口部用縦枠部材８の端部を前記ガイド部材６、６間に嵌め込むだけで、前記開口枠１０を前記四角枠４内の所定の位置に容易、かつ正確に設置することができる。これによって、前記開口部Ａ１の形成作業を簡略化することができるとともに、施工工期の短縮を図ることが可能となり、延いては建物壁部Ａの施工性を向上させることが可能となる。
【００１４】
請求項４に記載の発明は、例えば図３および図７に示すように、請求項３に記載の建物壁部Ａの施工方法において、
予め前記マグサ部材７の上面に、前記上枠部材１の下面に取り付けられた複数のガイド部材６と対向するようにして複数のガイド部材６を取り付けておき、
前記上枠部材１とマグサ部材７との間に、前記複数のガイド部材６、６間に上下端部が嵌め込まれる上部縦枠部材１１を立設することを特徴とする。
【００１５】
請求項４に記載の発明によれば、予め前記マグサ部材７の上面に、前記上枠部材１の下面に取り付けられた複数のガイド部材６と対向するようにして複数のガイド部材６を取り付けておくことによって、前記上縦枠部材を前記上枠部材１とマグサ部材７との間に容易、かつ正確に立設することが可能となる。
しかも、前記上部縦枠部材１１を前記上枠部材１とマグサ部材７との間に立設することによって、開口部Ａ１上からの荷重を前記マグサ部材７に確実に伝達することができるので、前記開口部Ａ１の施工強度を向上させることが可能となる。
【００１６】
請求項５に記載の発明は、例えば図４および図８に示すように、請求項１〜４のいずれか一項に記載の建物壁部Ａの施工方法において、
隣接する前記四角枠４どうしの一方の上枠部材１上面から他方の上枠部材１上面にわたって、前記隣接する四角枠４どうしを連結固定する頭つなぎ部材１３を取り付けることを特徴とする。
【００１７】
請求項５に記載の発明によれば、前記頭つなぎ部材１３を隣接する四角枠４どうしの一方の上枠部材１上面から他方の上枠部材１上面にわたって取り付けることによって、前記隣接する四角枠４どうしを強固に連結固定することができるので、建物壁部Ａの設置状態を向上させることが可能となる。
【発明の効果】
【００１８】
本発明によれば、四角枠を形成する上枠部材の下面および下枠部材の上面に、複数のガイド部材を複数の中間縦枠部材の端部が嵌まり込む間隔で取り付けておくことによって、前記中間縦枠部材の位置決めを容易に、かつ正確に行うことができるので、施工品質の安定性に優れ、なおかつ、建物壁部の作業性が格段に向上するとともに、建物壁部、延いては建物全体の施工工期を短縮することができる。
一方、従来とは異なり、前記上枠部材や下枠部材、各縦枠部材等の建築材料をパネル化せずに施工に用いるので、建物や敷地条件に左右されること無く作業を行うことができるとともに、生産および輸送に係るコストを低減することが可能となる。
また、予めマグサ部材の両端面に開口部用縦枠部材を取り付けるとともに、これら開口部用縦枠部材の対向面にマグサ受け部材を取り付けて開口枠を形成しておくことによって、この開口枠を前記四角枠内の所定の位置に容易、かつ正確に設置することができ、前記開口部の形成作業を簡略化することが可能となる。
これによって、建物全体の施工性について総合的に考慮しつつ、特に建物壁部の施工性を格段に向上させることが可能となる。
【発明を実施するための最良の形態】
【００１９】
以下、図面を参照して本発明に係る建物壁部Ａの施工方法の実施の形態について説明する。なお、本実施の形態の建物壁部Ａは、２×４インチの断面を有する木材、または２インチはそのままで４インチの整数倍の断面長さを有する木材を、主として釘打ち工法によって建て、壁全体で支える構造法で構築される。
また、図１〜図８の（ａ）で示す図は、建物の上階部分の壁部Ａであり、（ｂ）で示す図は、建物の下階部分の壁部Ａである。さらに、図１〜図４は建物の外壁部分を示し、図５〜図８は建物の内壁部分を示している。
【００２０】
本実施の形態の建物壁部Ａの施工方法は、図１〜図８に示すように、上枠部材１と下枠部材２と、これら上下枠部材１、２の両端部どうし間に立設される両側縦枠部材３とを組んで四角枠４を形成し、
その後、前記四角枠４内において前記両側縦枠部材３と平行する複数の中間縦枠部材５を、前記上下枠部材１、２間に立設するに際し、
前記上枠部材１の下面および前記下枠部材２の上面に、複数のガイド部材６を前記中間縦枠部材５の端部が嵌まり込む間隔で前記上下枠部材１、２の長さ方向に沿って取り付けておき、
前記中間縦枠部材５を前記両側縦枠部材３と平行する方向に配置するとともに、中間縦枠部材５の端部を前記ガイド部材６、６間に嵌め込んで建物の壁部Ａを施工するというものである。
【００２１】
ここで、前記上枠部材１および下枠部材２は、それぞれの壁面ごとに一体のものを用いることができるように長尺な木材となっており、前記両側縦枠部材３は、前記上枠部材１の両端部と前記下枠部材２の両端部との間に立設される木材である。
そして、前記四角枠４は、前記上下枠部材１、２の両端部どうし間に前記両側縦枠部材３を立設して組むことによって形成されている。
【００２２】
また、これら両側縦枠部材３の内側面には、図１および図５に示すように、前記上枠部材１の下面を受けるとともに、前記下枠部材２の上面を受ける枠受け部材３ａを予め取り付けておくようにする。
【００２３】
これによって、前記上枠部材１の下面と下枠部材２の上面とを前記枠受け部材３ａに合わせるだけで、前記上下枠部材１、２を容易に、かつ正確な位置に取り付けることが可能となっている。しかも、前記四角枠４の形成作業を簡略化することができるとともに、施工工期の短縮を図ることが可能となり、延いては建物壁部Ａの施工性を向上させることが可能となる。
【００２４】
前記中間縦枠部材５は、図３および図７に示すように、前記四角枠４内において前記両側縦枠部材３と平行し、かつ前記上下枠部材１、２間に立設されるものである。前記四角枠４内にこれら中間縦枠部材５が立設されることによって前記四角枠４は略縦格子状に形成される。
【００２５】
前記複数のガイド部材６は、図１および図５に示すように、前記上枠部材１の下面および前記下枠部材２の上面において、前記中間縦枠部材５の端部が嵌まり込む間隔で前記上枠部材１の下面および前記下枠部材２の上面の長さ方向に沿って取り付けられており、前記上枠部材１および下枠部材２よりも短尺で、略矩形状に形成された板材が用いられている。
なお、上述したように、前記中間縦枠部材５の端部を前記複数のガイド部材６、６間に嵌め込むことによって、これら複数のガイド部材６が前記中間縦枠部材５の転び止めとしての役割を果たすことができるようになっている。
【００２６】
また、なお、前記複数のガイド部材６は、本実施の形態では短尺で、略矩形状に形成された板材が用いられているが、これに限られるものではない。例えば、前記中間縦枠部材５の端部を嵌め込むことが可能な凹部を有する金物等を用いても良く、本発明の趣旨を逸脱しない範囲で適宜変更可能であることは言うまでもない。
【００２７】
次に、前記四角枠４内の所定の位置に、窓や出入り口等の開口部Ａ１を形成する際は、図２および図６に示すように、開口部Ａ１上に位置するマグサ部材７の両端面に、前記中間縦枠部材５と平行し、かつ前記ガイド部材６、６間に端部が嵌まり込む開口部用縦枠部材８を取り付けるとともに、前記開口部用縦枠部材８の対向面に、上端部で前記マグサ部材７を受けるマグサ受け部材９を取り付けて開口枠１０を予め形成しておき、
図４および図８に示すように、前記開口部用縦枠部材８の端部を前記ガイド部材６、６間に嵌め込むようにして前記開口枠１０を前記四角枠４内の所定の位置に設置する。
なお、前記四角枠４内に開口部Ａ１を形成する場合、この開口部Ａ１を形成するためのスペースには前記複数の中間縦枠部材５を取り付けないようにする。また、この開口部Ａ１を形成するためのスペースにおいて前記下枠部材２の上面には前記ガイド部材６も取り付けないようにする。
【００２８】
ここで、前記マグサ部材７は、門や窓、出入り口等の開口部Ａ１の上に渡した角柱状の水平材であり、前記中間縦枠部材５が開口部Ａ１を形成するために抜き取られる分の荷重を確実に受けるために設けられるようになっている。
【００２９】
前記開口部用縦枠部材８は、前記中間縦枠部材５と平行し、かつ前記ガイド部材６、６間に上下の端部が嵌まり込むものであり、前記マグサ部材７の両端面に取り付けられるようになっている。
【００３０】
前記マグサ受け部材９は、前記マグサ部材７を支持するものであり、前記開口部用縦枠部材８の対向面、すなわち、前記マグサ部材７の両端部の下方に取り付けられている。
【００３１】
そして、前記開口枠１０は、前記マグサ部材７の両端面に前記開口部用縦枠部材８が取り付けられるとともに、前記開口部用縦枠部材８の対向面に前記マグサ部材７を受けるマグサ受け部材９が取り付けられたものである。
【００３２】
なお、このような開口枠１０を、予め工場等で組み立ててから現場に輸送することによって、現場での作業量を軽減することができるので望ましい。
【００３３】
以上のように、予め前記マグサ部材７の両端面に前記開口部用縦枠部材８を取り付けるとともに、これら開口部用縦枠部材８の対向面に前記マグサ受け部材９を取り付けて前記開口枠１０を形成しておくことによって、前記開口部用縦枠部材８の端部を前記ガイド部材６、６間に嵌め込むだけで、前記開口枠１０を前記四角枠４内の所定の位置に容易、かつ正確に設置することが可能となる。
これによって、前記開口部Ａ１の形成作業を簡略化することができるとともに、施工工期の短縮を図ることが可能となり、延いては建物壁部Ａの施工性を向上させることができるようになっている。
【００３４】
一方、図３および図７に示すように、予め前記マグサ部材７の上面には、前記上枠部材１の下面に取り付けられた複数のガイド部材６と対向するようにして複数のガイド部材６を取り付けておき、前記上枠部材１とマグサ部材７との間に、前記複数のガイド部材６、６間に上下端部が嵌め込まれる上部縦枠部材１１を立設するようにする。
【００３５】
前記上部縦枠部材１１は、前記上枠部材１とマグサ部材７との間に設けられる短尺な縦枠部材であり、前記マグサ部材７の上部に位置する前記上枠部材１や、この上枠部材１上に設けられる床部材もしくは天井部材等の荷重を確実に受けるために設けられるようになっている。
【００３６】
そして、以上のように、予め前記マグサ部材７の上面に、前記上枠部材１の下面に取り付けられた複数のガイド部材６と対向するようにして複数のガイド部材６を取り付けておくことによって、前記上縦枠部材を前記上枠部材１とマグサ部材７との間に容易、かつ正確に立設することができるようになっている。
しかも、前記上部縦枠部材１１を前記上枠部材１とマグサ部材７との間に立設することによって、開口部Ａ１上からの荷重を前記マグサ部材７に確実に伝達することができるので、前記開口部Ａ１の施工強度を向上させることも可能となる。
【００３７】
また、前記開口部Ａ１の下部には、図４および図８に示すように、前記マグサ部材７と対向するようにして敷居部材１２が設けられている。
そして、以上のようにして組み立てられた建物壁部Ａには、図示はしないが、表面に面材が貼り付けられるようになっている。
【００３８】
なお、本実施の形態の建物壁部Ａは、図１〜図８に示すように、所定の位置に立設される中間縦枠部材５を複数重ねて設けるようにする。すなわち、これは、建物壁部Ａに対して直交する方向に、更に壁部が設けられる場合に、各種縦枠部材の厚みを大きくして設けることによって、直交する壁部の側端面が当接する面積を大きくするためである。これにより建物壁部Ａに対して直交する方向に更に壁部を設けた場合にも、安定した立設状態を保持することができるようになっている。
【００３９】
一方、建物壁部Ａを形成する際には、建物床部（図示せず）の上に寝かせた状態で組んでいくようにする。そして、組み終わったら建て起こし、隣接する四角枠４どうしを頭つなぎ部材１３によって繋いでいくようにする。
【００４０】
ここで、前記頭つなぎ部材１３は、隣接する前記四角枠４どうしの一方の上枠部材１上面から他方の上枠部材１上面にわたって取り付けられて、前記隣接する四角枠４どうしを連結固定するものである。
また、このような頭つなぎ部材１３は、隣接する四角枠４どうしを連結固定するために上枠部材１よりも若干突き出すように設けられている。
【００４１】
そして、このような頭つなぎ部材１３を隣接する四角枠４どうしの一方の上枠部材１上面から他方の上枠部材１上面にわたって取り付けることによって、前記隣接する四角枠４どうしを強固に連結固定することができるので、建物壁部Ａの設置状態を向上させることが可能となっている。
【００４２】
なお、図４および図８に示すように、前記頭つなぎ部材１３の上面には複数のガイド部材６が取り付けられており、これら複数のガイド部材６、６間に、水平方向の荷重を負担する天井根太（図示せず）や、上階用床根太部材（図示せず）の端部が嵌め込まれるようになっている。
【００４３】
一方、内壁部分の壁部Ａに設けられる頭つなぎ部材１３の一部には、前記複数のガイド部材６が取り付けられていない場合がある。すなわち、これは、天井根太もしくは上階用床根太部材と壁部Ａとが平行して設置されるためである。
【００４４】
さらに、建物の内壁部分に設けられる壁部Ａにおいて、四角枠４外にドア等の開口部Ａ２を設ける場合は、図５〜図８に示すように、該開口部Ａ２分の長さに形成された上枠部材１の下面に複数のガイド部材６を取り付けておく。
そして、これら複数のガイド部材６に対向するように、上面に複数のガイド部材６が設けられたマグサ部材７を、マグサ受け部材９によって支持するように設けて開口枠１０を形成するとともに、前記上枠部材１およびマグサ部材７どうし間に上部縦枠部材１１を取り付ける。
この時、前記上枠部材１を、頭つなぎ部材１３によって前記四角枠４の上枠部材１と連結固定するようにする。このようにして前記四角枠４外にドア等の開口部Ａ２を設けることができるようになっている。
【００４５】
本実施の形態によれば、四角枠４を形成する上枠部材１の下面および下枠部材２の上面に、複数のガイド部材６を複数の中間縦枠部材５の端部が嵌まり込む間隔で取り付けておくことによって、前記中間縦枠部材５の位置決めを容易に、かつ正確に行うことができるので、施工品質の安定性に優れ、なおかつ、建物壁部Ａの作業性が格段に向上するとともに、建物壁部Ａ、延いては建物全体の施工工期を短縮することができる。
一方、従来とは異なり、前記上枠部材１や下枠部材２、各縦枠部材等の建築材料をパネル化せずに施工に用いるので、建物や敷地条件に左右されること無く作業を行うことができるとともに、生産および輸送に係るコストを低減することが可能となる。
また、予めマグサ部材７の両端面に開口部用縦枠部材８を取り付けるとともに、これら開口部用縦枠部材８の対向面にマグサ受け部材９を取り付けて開口枠１０を形成しておくことによって、この開口枠１０を前記四角枠４内の所定の位置に容易、かつ正確に設置することができ、前記開口部Ａ１の形成作業を簡略化することが可能となる。
これによって、建物全体の施工性について総合的に考慮しつつ、特に建物壁部の施工性を格段に向上させることが可能となる。
【図面の簡単な説明】
【００４６】
【図１】建物壁部の四角枠であり、（ａ）は上階部分を示す正面図であり、（ｂ）は下階部分を示す正面図である。
【図２】建物壁部の開口枠であり、（ａ）は上階部分を示す正面図であり、（ｂ）は下階部分を示す正面図である。
【図３】建物壁部の一部であり、（ａ）は上階部分を示す正面図であり、（ｂ）は下階部分を示す正面図である。
【図４】建物壁部であり、（ａ）は上階部分を示す正面図であり、（ｂ）は下階部分を示す正面図である。
【図５】建物壁部の四角枠であり、（ａ）は上階部分を示す正面図であり、（ｂ）は下階部分を示す正面図である。
【図６】建物壁部の開口枠であり、（ａ）は上階部分を示す正面図であり、（ｂ）は下階部分を示す正面図である。
【図７】建物壁部の一部であり、（ａ）は上階部分を示す正面図であり、（ｂ）は下階部分を示す正面図である。
【図８】建物壁部であり、（ａ）は上階部分を示す正面図であり、（ｂ）は下階部分を示す正面図である。
【符号の説明】
【００４７】
Ａ  建物壁部
Ａ１  開口部
１  上枠部材
２  下枠部材
３  両側縦枠部材
４  四角枠
５  中間縦枠部材
６  ガイド部材
【図１】
2007023648.tif 000003
【図２】
2007023648.tif 000004
【図３】
2007023648.tif 000005
【図４】
2007023648.tif 000006
【図５】
2007023648.tif 000007
【図６】
2007023648.tif 000008
【図７】
2007023648.tif 000009
【図８】
2007023648.tif 000010